(57)【要約】【課題】それぞれ入力手段と表示手段とを内蔵する情報処理装置で構成され、内蔵する情報処理手段と外部接続される情報処理手段との間で入力手段と表示手段とを選択的に使用することのできる情報処理システムを提供する。【解決手段】ユーザによる操作を操作情報に変換して出力する入力手段と、入力された操作情報に基づいて演算を行い、表示すべき画面情報を出力する情報処理手段と、入力された画面情報を表示する表示手段とを筐体内に有する情報処理装置であって、さらに、入力手段の出力する操作情報を、情報処理手段と筐体外とに選択的に出力するよう接続する入力切換手段と、情報処理手段の出力する画面情報と筐体外から入力される画面情報とを選択的に表示手段に出力するよう接続する表示切換手段とを有する情報処理装置を有するよう情報処理システムを構成する。【選択図】図１
2010079779.tif 000002
【特許請求の範囲】
【請求項１】
ユーザによる操作を操作情報に変換して出力する第１の入力手段と、入力された操作情報に基づいて演算を行い、表示すべき画面情報を出力する第１の情報処理手段と、入力された画面情報を表示する第１の表示手段とを第１の筐体内に有する第１の情報処理装置と、ユーザによる操作を操作情報に変換して出力する第２の入力手段と、入力された操作情報に基づいて演算を行い、表示すべき画面情報を出力する第２の情報処理手段と、入力された画面情報を表示する第２の表示手段とを第２の筐体内に有する第２の情報処理装置とからなる情報処理システムであって、
前記第１の情報処理装置は、前記第１の入力手段の出力する操作情報を前記第１の情報処理手段と前記第１の筐体外とに選択的に出力するよう接続する第１の入力切換手段と、前記第１の情報処理手段の出力する画面情報と前記第１の筐体外から入力される画面情報とを選択的に前記第１の表示手段に出力するよう接続する第１の表示切換手段とを有し、
前記第２の情報処理装置は、前記第２の入力手段の出力する操作情報と前記第２の筐体外から入力される操作情報とを選択的に前記第２の情報処理手段に出力するよう接続する第２の入力切換手段と、前記第２の情報処理手段の出力する画面情報を前記第２の表示手段と前記第２の筐体外とに選択的に出力するよう接続する第２の表示切換手段とを有し、
前記第１の入力切換手段の出力が前記第２の操作情報切換手段の入力に接続され、
前記第２の表示切換手段の出力が前記第１の画面情報切換手段の入力に接続されることを特徴とする、情報処理システム。
【請求項２】
前記第１の入力切換手段が前記第１の入力手段の出力する操作情報を選択して前記第１の筐体外に出力するよう接続するときに、前記第２の入力切換手段が前記第２の筐体外から入力される操作情報を選択して前記第２の情報処理手段に出力するよう接続することを特徴とする、請求項１に記載の情報処理システム。
【請求項３】
前記第１の表示切換手段が前記第１の情報処理手段の出力する画面情報を選択して前記第１の表示手段に出力するよう接続するときに、前記第２の表示切換手段が前記第２の情報処理手段の出力する画面情報を前記第２の筐体外に選択して出力するよう 接続することを特徴とする、請求項１または２に記載の情報処理システム。
【請求項４】
ユーザによる操作を操作情報に変換して出力する入力手段と、入力された操作情報に基づいて演算を行い、表示すべき画面情報を出力する情報処理手段と、入力された画面情報を表示する表示手段とを筐体内に有する情報処理装置であって、
さらに、前記入力手段の出力する操作情報を、前記情報処理手段と前記筐体外とに選択的に出力するよう接続する入力切換手段と、前記情報処理手段の出力する画面情報と前記筐体外から入力される画面情報とを選択的に前記表示手段に出力するよう接続する表示切換手段とを有することを特徴とする、情報処理装置。
【発明の詳細な説明】
【技術分野】
【０００１】
本発明は、それぞれ表示手段と入力手段とを有する情報処理装置で構成される情報処理システムおよび入力手段の情報出力先と表示手段の情報入力元をそれぞれ切換可能な情報処理装置に関する。
【背景技術】
【０００２】
ディスプレイを１台しか設置できない環境での複数のパーソナルコンピュータの使用や、１台のキーボードやマウスのような入力機器を複数のパーソナルコンピュータでの使用が求められる場合がある。複数のパーソナルコンピュータのディスプレイ出力コネクタとキーボード／マウス入力コネクタからそれぞれケーブル接続し、スイッチで切り替えてディスプレイとキーボード／マウスにそれぞれ接続するキーボード切替器を用いると、このような使用方法を実現することができる。
【０００３】
特許文献１には、省スペースパーソナルコンピュータの大画面デジタルＬＣＤに、省スペースパーソナルコンピュータの出力と、接続したサブノートパーソナルコンピュータの出力とを選択的に表示可能なパーソナルコンピュータのディスプレイの代替表示方式が記載されている。
【０００４】
【特許文献１】特開２００２−２２９５０３号公報
【発明の開示】
【発明が解決しようとする課題】
【０００５】
特許文献１に記載された方式では、デスクトップ型の省スペースパーソナルコンピュータに対してサブノートパーソナルコンピュータの映像出力を表示させている。しかし、近年、ノート型パーソナルコンピュータの普及が著しく、ノート型パーソナルコンピュータを専ら使用し、デスクトップ型パーソナルコンピュータを保有していない利用者も増えてきている。
【０００６】
従来技術のノート型パーソナルコンピュータと外部機器との接続例を図２に示す。従来技術のノート型パーソナルコンピュータ３は、ＣＰＵ（Central Processing Unit）とＤＲＡＭ（Dynamic Random Access Memory）などで構成される情報処理手段３０にユーザの操作を伝えるためのキーボードやタッチパッドなどで構成される入力手段３２を有し、情報処理手段３０の処理結果を表示する液晶ディスプレイパネルなどで構成される表示手段３１とを有している。
【０００７】
従来技術のノート型コンピュータでは、入力手段３２とは別の、マウスなどの入力装置５を接続して情報処理手段３０にユーザ操作を伝え、表示手段３１とは別の、外付けディスプレイやプロジェクタなどの表示装置４を接続して情報処理手段３０の処理結果を表示することができる。
【０００８】
しかし、図２からも明らかなように、従来技術のノート型パーソナルコンピュータは、通常は映像出力端子を備えているものの、映像入力端子は備えていないため、ノート型パーソナルコンピュータを主として使用している利用者は、そのノート型パーソナルコンピュータのディスプレイに、他のパーソナルコンピュータの出力画面も選択的に表示するような使い方をすることができない。そのため、ノート型パーソナルコンピュータと他のパーソナルコンピュータを別々に操作しなければならず、使い勝手を損っていた。
【０００９】
そこで、本発明は、それぞれ入力手段と表示手段とを内蔵する情報処理装置で構成され、内蔵する情報処理手段と外部接続される情報処理手段との間で入力手段と表示手段とを選択的に使用することのできる情報処理システムを提供することを目的とする。
【課題を解決するための手段】
【００１０】
本発明の情報処理システムは、ユーザによる操作を操作情報に変換して出力する第１の入力手段と、入力された操作情報に基づいて演算を行い、表示すべき画面情報を出力する第１の情報処理手段と、入力された画面情報を表示する第１の表示手段とを第１の筐体内に有する第１の情報処理装置と、ユーザによる操作を操作情報に変換して出力する第２の入力手段と、入力された操作情報に基づいて演算を行い、表示すべき画面情報を出力する第２の情報処理手段と、入力された画面情報を表示する第２の表示手段とを第２の筐体内に有する第２の情報処理装置とからなる情報処理システムであって、第１の情報処理装置は、第１の入力手段の出力する操作情報を第１の情報処理手段と第１の筐体外とに選択的に出力するよう接続する第１の入力切換手段と、第１の情報処理手段の出力する画面情報と第１の筐体外から入力される画面情報とを選択的に第１の表示手段に出力するよう接続する第１の表示切換手段とを有し、第２の情報処理装置は、第２の入力手段の出力する操作情報と第２の筐体外から入力される操作情報とを選択的に前記第２の情報処理手段に出力するよう接続する第２の入力切換手段と、第２の情報処理手段の出力する画面情報を第２の表示手段と第２の筐体外とに選択的に出力するよう接続する第２の表示切換手段とを有し、第１の入力切換手段の出力が第２の操作情報切換手段の入力に接続され、第２の表示切換手段の出力が第１の画面情報切換手段の入力に接続されることを特徴とする。
【００１１】
本発明の情報処理装置は、ユーザによる操作を操作情報に変換して出力する入力手段と、入力された操作情報に基づいて演算を行い、表示すべき画面情報を出力する情報処理手段と、入力された画面情報を表示する表示手段とを筐体内に有する情報処理装置であって、さらに、入力手段の出力する操作情報を、情報処理手段と筐体外とに選択的に出力するよう接続する入力切換手段と、情報処理手段の出力する画面情報と筐体外から入力される画面情報とを選択的に表示手段に出力するよう接続する表示切換手段とを有することを特徴とする。
【発明の効果】
【００１２】
本発明によれば、それぞれ入力手段と表示手段とを内蔵する情報処理装置で構成され、内蔵する情報処理手段と外部接続される情報処理手段との間で入力手段と表示手段とを選択的に使用することのできる情報処理システムを提供できる。
【発明を実施するための最良の形態】
【００１３】
以下、図面を参照して本発明を実施するための最良の形態について詳細に説明する。本実施形態は、内蔵する情報処理手段と外部接続される情報処理装置とを、内蔵する入力手段と表示手段で選択的に使用することのできるパーソナルコンピュータである。
【００１４】
図１は、本実施形態の情報処理システムの構成を示す図である。図１を参照すると、本実施形態の情報処理システムは、情報処理装置１と情報処理装置２を接続して構成される。情報処理装置１は、情報処理手段１０、表示手段１１、表示切換手段１２、入力切換手段１３および入力手段１４を同一筐体内に有しており、情報処理装置２も同様に、情報処理手段２０、表示手段２１、表示切換手段２２、入力切換手段２３および入力手段２４を同一筐体内に有している。
【００１５】
情報処理装置１は、例えば、ノート型パーソナルコンピュータである。情報処理装置２は、情報処理装置１と同様のノート型パーソナルコンピュータであってもよいし、ノート型パーソナルコンピュータよりも表示手段や入力手段が制限されたコンピュータ、例えばＰＤＡ（Personal Digital Assistant）のような機器であってもよい。
【００１６】
情報処理手段１０は、入力手段１４から入力されるユーザ操作情報に基づいて情報処理を行い、画面情報を出力する。情報処理手段１０は、具体的には、ＣＰＵとＤＲＡＭにより構成することができる。情報処理手段１０は、ソフトウェアを実行することにより、後述する表示手段１１に表示すべき画面情報を作成する表示制御部１０１や、後述する入力手段１４から入力情報を受け取る入力制御部１０２などの機能を実現する。
【００１７】
表示手段１１は、表示すべき画面情報の入力を受けて、ユーザに視認可能に表示する。表示手段１１は、具体的には、液晶ディスプレイやプラズマディスプレイ、有機ＥＬディスプレイなどで構成可能である。
【００１８】
表示切換手段１２は、表示手段１１で出力すべき画面情報を入力された情報から選択して切り換える。表示切換手段１２は、具体的には、複数系統の入力と１系統の出力とを有し、複数系統の入力のうちの１系統が出力に接続されるスイッチによって構成可能である。表示切換手段１２の出力は、表示手段１１に接続される。スイッチは、機械的に接続を切り換えるスイッチでもよいし、電子的なスイッチでもよい。
【００１９】
入力切換手段１３は、後述する入力手段１４から入力されるユーザ操作情報を出力する先を選択して切り換える。入力切換手段１３は、具体的には、１系統の入力と複数系統の出力とを有し、入力が複数系統の出力のうちの１系統に接続されるスイッチによって構成可能である。入力切換手段１３の入力は、後述する入力手段１４に接続される。スイッチが機械的でも電子的でもよいのは、表示切換手段１２と同様である。
【００２０】
入力手段１４は、ユーザの操作を入力として受けて情報として出力する。入力手段１４は、具体的にはキーボードやタッチパッドによって構成可能である。
【００２１】
情報処理装置１に接続される情報処理装置２の構成は、表示切換手段２２と入力切換手段２３を除き情報処理装置１と同様であるので、共通する構成については説明を省略する。表示切換手段２２は、情報処理手段２０から入力される画面情報を出力する先を選択して切り換える。表示切換手段２２は、具体的には、１系統の入力と複数系統の出力とを有し、入力が複数系統の出力のうちの１系統に接続されるスイッチによって構成可能である。
【００２２】
入力切換手段２３は、情報処理手段２０に入力すべき操作情報を入力された情報から選択して切り換える。入力切換手段２３は、具体的には、複数系統の入力と１系統の出力とを有し、複数系統の入力のうちの１系統が出力に接続されるスイッチによって構成可能である。
【００２３】
表示切換手段１２または入力切換手段１３と接続されたことに対応して、表示切換手段２２によって画面情報が筐体外部に出力されるようにし、入力切換手段２３によって情報処理手段２０に筐体外部から入力される操作情報が入力されるようにすると、情報処理装置２を混乱なく使用することができる。
【００２４】
また、情報処理装置１と情報処理装置２とを信号線で接続するなどして表示切換手段１２または入力切換手段１３の切換状態を情報処理装置２にて検出可能にし、表示切換手段１２または入力切換手段１３が情報処理装置２の方に切り換えられたことに対応して、表示切換手段２２によって画面情報が筐体外部に出力されるようにし、入力切換手段２３によって情報処理手段２０に筐体外部から入力される操作情報が入力されるようにすることもできる。このようにすると、ユーザはいずれの切換状態であっても情報処理装置２を使用することができる。
【００２５】
また、本実施形態では、外部の情報処理装置２が１台のみ接続される構成で説明したが、本発明はかかる構成に限定されるものではなく、外部の情報処理装置が２台以上接続されるように構成してもよい。
【図面の簡単な説明】
【００２６】
【図１】本実施形態の情報処理装置が外部の情報処理装置と接続された状態を示す図である。
【図２】従来技術のノート型パーソナルコンピュータと外部機器との接続状態を示す図である。
【符号の説明】
【００２７】
１    情報処理装置
２    情報処理装置
１０  情報処理手段
１１  表示手段
１２  表示切換手段
１３  入力切換手段
１４  入力手段
２０  情報処理手段
２１  表示手段
２２  表示切換手段
２３  入力切換手段
２４  入力手段
【図１】
2010079779.tif 000003
【図２】
2010079779.tif 000004